(57)【要約】  チップが設置されたキーのキーヘッド部に一定の角度毎に突起を形成し、キーヘッドが挿入されるロック装置の入力ソケットに突起が挿入されるように溝を形成して、キーを入力ソケットに差し込んだ状態で回転させることができる電子式のロック装置が開示されている。電子式のロック装置は半球形の内側端子と外側端子が設置されたキーヘッドを持つキーと、前記キーヘッドが挿入された時に該キーヘッドの内側端子及び外側端子に接触する端子が設置された溝を持つ入力ソケットとを有する電子式のロック装置において、前記キーヘッドの周りには複数の突出部が形成され、前記入力ソケットの溝には前記突出部がそれぞれ挿入されるように溝が形成され、キーヘッドを入力ソケットに挿入した状態でキーを回転させると入力ソケットも回転するように構成される。
2008538394.tif 000002
【特許請求の範囲】
【請求項１】
半球形の内側端子と外側端子が設置されたキーヘッドを持つキーと、前記キーヘッドの内側端子及び外側端子と接触する端子が設置された溝を持ちキーヘッドが挿入される入力ソケットとを有する電子式のロック装置において、前記キーヘッドの周りには複数の突出部が形成され、前記入力ソケットの溝には、前記突出部がそれぞれ挿入されるように溝が形成され、キーヘッドを入力ソケットに挿入した状態でキーを回転させると入力ソケットも回転するように構成されることを特徴とする電子式のロック装置。
【請求項２】
前記突出部は６０°毎に形成されることを特徴とする請求項１記載の電子式のロック装置。
【請求項３】
前記キーヘッドは、ＰＣＢにチップが連結し、外側端子と内側端子が互いに連結した状態でインサート射出によって製作されることを特徴とする請求項１記載の電子式のロック装置。
【請求項４】
前記内側端子は中央の正面に突出し、外側端子は内側端子から離隔して側面に突出するように構成されることを特徴とする請求項３記載の電子式のロック装置。
【発明の詳細な説明】
【技術分野】
【０００１】
本発明は電子式のロック装置に関するものである。特に、チップが設置されたキーヘッド部に一定の角度毎に突起を形成し、前記キーヘッドが挿入されるロック装置の入力ソケットに前記突起等が掛かるように溝を形成して、キーを入力ソケットに差し込んだ状態で回転させることができるように構成される電子式のロック装置に関するものである。
【背景技術】
【０００２】
電子式のロック装置はチップが設置されたキーと、前記キーのヘッドと接触してチップに入力された電子コードを読み込んで、該読み込んだ電子コードがソケットに予め入力されたコードと同じであればロックを解除するように電子的な動作を行う入力ソケットからなる。
本発明は、ロック装置において、キーのヘッドとヘッドが接触する入力ソケットに関するものである。
【０００３】
従来のロック装置は図１に図示するように、使用者が手でつかむことができるようにキー１０が形成され、キー１０の前方にはキーヘッド２０が形成されている。キーヘッド２０にはチップが設置され、チップには電子コードが記憶されている。チップは二つの端子に連結され、該二つの端子はキーヘッド２０まで延長されている。該キーヘッド２０は入力ソケット３０の溝４０に挿入される。この時、入力ソケット３０に延長された二つの端子にキーヘッド２０の二つの端子が接触してキーヘッド２０のチップに入力された電子コードが入力ソケット３０に読み込まれ、該情報は入力ソケット３０側のＰＣＢに伝達されて該コードが合うか否かを判断する。勿論、該コードが一致すればロックを解除する。
係る構造のロック装置においては、ロックを解除するためにキー１０に突出した突出部１０ａが形成され、該突出部１０ａはロック装置の一部に挿入されて、コードが一致するときのみ回転してロックが解除される構造を持つ。従って、該突出部１０ａをキー１０に形成しなければならないので、キー１０の大きさが大きくなり、また、突出部１０ａが挿入されて噛み合う部分を入力ソケット部分に形成しなければならないので、入力ソケットの大きさを小さくするにも制限がある。
【発明の開示】
【発明が解決しようとする課題】
【０００４】
本発明は上記のような従来の問題点を解決するために案出されたもので、ロック装置のキーヘッドに一定の角度毎に突出部を形成し、入力ソケットには該突出部に対応する溝を形成してキーを回すことによって入力ソケットを回転させることができる構造の小型のキーヘッドを持つ電子式のロック装置を提供することを目的とする。
【課題を解決するための手段】
【０００５】
本発明による電子式のロック装置は半球形の内側端子と外側端子が設置されたキーヘッドを持つキーと、前記キーヘッドの内側端子及び外側端子と接触する端子等が設置された溝を持ち、キーヘッドが挿入される入力ソケットとを有する電子式のロック装置において、前記キーヘッドの周りには複数の突出部が形成され、前記入力ソケットの溝には、前記突出部がそれぞれ挿入されるように溝が形成され、キーヘッドを入力ソケットに挿入した状態でキーを回転させると入力ソケットも回転するように構成されることを特徴とする。
【０００６】
前記突出部は６０°毎に形成される。
また、前記キーヘッドは、ＰＣＢにチップが連結し、外側端子と内側端子が互いに連結した状態でインサート射出によって製作される。
また、前記内側端子は中央の正面に突出し、外側端子は内側端子から離隔し側面に突出するように構成される。
【発明の効果】
【０００７】
このように、本発明による電子式のロック装置は、キーヘッドに突出部を形成し、入力ソケットに前記突出部が挿入される溝を形成し、前記突出部が掛かる溝にキーヘッドを差し込んで電気的にロック装置を解除した状態でキーを回して入力ソケットを回転させることによって機械的にもロック装置が解除されるように構成できるという効果を奏する。
【０００８】
また、キー自体に大きい突出部を形成しないのでキーのデザインに有利であり、大きさを小さくする効果を奏する。
また、本発明による電子式のロック装置は、キーヘッドにＰＣＢとチップが挿入された状態でインサート射出されて製作されるので、キーを小型化できるという効果を奏する。
【発明を実施するための最良の形態】
【０００９】
本発明による電子式のロック装置は、図２に図示されるようにキー５０の本体の前方にキーヘッド６０が設置され、キーヘッド６０は半球形からなる。キーヘッド６０の後方には６０°毎に突出部６０ａが形成されている。該突出部６０ａは一定の厚さを持つように形成され、該突出部６０ａの前方は尖っている。前記キーヘッド６０に接触する入力ソケット７０にはキーヘッド６０が挿入される半球形の溝８０が形成され、該溝８０には前記突出部６０ａが挿入できるように各々対応する位置に溝８０ａが形成されている。この溝８０ａは各突出部６０ａより大きく形成されている。従って、使用者はキー５０を、入力ソケット７０の溝８０にキーヘッド６０を差し込んだ後に回せば、突出部６０ａが溝８０ａに挿入されるのでキーヘッド６０の回転によって入力ソケット７０が回転する。勿論、キーヘッド６０のチップに入力された電子コードと入力ソケット７０の電子コードが一致した時に回転することができる。
【００１０】
図３はキーヘッド６０の正面図であり、中央には内側端子６１が外部に突出し、内側端子６１の周りには絶縁体が構成され、絶縁体の周りに外側端子６２が構成される。
図４の断面図からこれらの端子の連結構造を理解することができる。キーヘッド６０の中央にＰＣＢ６３が設置され、ＰＣＢ６３の下部にはＩＣチップ６４が設置されている。また、内側端子６１は中央を経てＰＣＢ６３に連結されており、外側端子６２も周辺部に突出してＰＣＢ６３に電気的に連結されている。従って、各々の内側端子６１と外側端子６２が入力ソケット７０の内側端子８１、８３と外側端子８２に接触すると、入力ソケット７０を回してロックを解除できる。
【００１１】
図５の分解斜視図を参照してキーヘッド６０の製作過程を説明する。ＰＣＢ６３に内側端子６１が接触した状態で外側端子６２をＰＣＢ６３に連結する。このように組み合わされたアセンブリーを型に入れてプラスチックからなる絶縁体を型に供給してインサート射出する。このようにして小型のチップ６４もヘッド６０内に含まれてインサート射出されるので、キーをより小型化することができる。
【００１２】
図６及び図７に入力ソケット７０が図示されている。図６は溝８０の内部が良く見えるように図示された入力ソケット７０の正面図である。入力ソケット７０にはキーヘッド６０が挿入できるように半球形の溝８０が形成され、キーヘッド６０の突出部６０ａが挿入されるように６個の溝８０ａが６０°毎に形成されている。
【００１３】
図７を参照すると、入力ソケット７０の溝の中央には内側端子８３に連結された板スプリング構造の接触部材８１が内側端子８３に接続され、内側端子８３は下方に延びてＰＣＢ８４に電気的に接触する。外側端子８２は板スプリングの接触部材８１から離隔されて入力ソケット７０の溝８０の側面に延びている。勿論、外側端子８２の末端はＰＣＢ８４に連結している。従って、板スプリング構造の内側端子８１、８３にキーヘッド６０が挿入されて接触すると、スプリングの弾性力によってキーヘッド６０と内側端子８１、８３の間の接触感をより柔らかくすることができる。
【００１４】
前記のように構成された電子式のロック装置において、キーヘッド６０を入力ソケット７０の溝８０に差し込んで互いに端子が接触すると、ＰＣＢ８４からコードが確認されて該コードが一致すればキーヘッド６０が入力ソケット７０を回転させることができるようになる。この時に、キーヘッド６０の突出部６０ａが入力ソケット７０の溝８０ａに挿入されているので、入力ソケット７０はキーヘッド６０の回転によって共に回転することができる。
【産業上の利用可能性】
【００１５】
本発明による電子式のロック装置は、大型ロッカールームの電子キーに有効に利用されうる。
【図面の簡単な説明】
【００１６】
【図１】従来の電子式のロック装置の斜視図である。
【図２】本発明による電子式のロック装置の斜視図である。
【図３】本発明による電子式のロック装置のキーの正面図である。
【図４】図３のIV-IV線による断面図である。
【図５】本発明による電子式のロック装置のキーヘッドの分解斜視図である。
【図６】本発明による電子式のロック装置の入力ソケットの正面図である。
【図７】図６のVI-VI線による断面図である。
【図１】
2008538394.tif 000003
【図２】
2008538394.tif 000004
【図３】
2008538394.tif 000005
【図４】
2008538394.tif 000006
【図５】
2008538394.tif 000007
【図６】
2008538394.tif 000008
【図７】
2008538394.tif 000009
【国際調査報告】
2008538394.tif 000010
2008538394.tif 000011